(57)【要約】【課題】担架から垂れる水を確実に水受け盤に収用することができ、入浴後の要介助者を居室に移動させる際に廊下等が濡れることを確実に防止することが入浴用ストレッチャー装置を提供する。【解決手段】昇降可能なフレーム２２に装着された車輪２４により走行可能とされたストレッチャー２０と、ストレッチャー２０の上端に配置され、上方から垂れる水を受ける水受け盤３０と、水受け盤３０上に略水平方向にスライド可能に支持された担架１０とを備えた入浴用ストレッチャー装置１において、水受け盤３０の幅を担架１０の幅より狭くして、担架１０の下面に、担架１０から垂れる水を受けて水受け盤３０に導く樋部１７を設ける。【選択図】図１
2009018006.tif 000002
【特許請求の範囲】
【請求項１】
昇降可能なフレームに装着された走行手段により走行可能とされたストレッチャーと、
前記ストレッチャーの上端に配置され、上方から垂れる水を受ける水受け盤と、
前記水受け盤上に略水平方向にスライド可能に支持された担架とを備えた入浴用ストレッチャー装置において、
前記水受け盤は、前記担架よりも幅が狭く形成されているとともに、
前記担架の下面に、前記担架から垂れる水を受けて前記水受け盤に導く樋部が設けられたことを特徴とする入浴用ストレッチャー装置。
【請求項２】
前記水受け盤は、前記担架の幅方向のいずれか一端寄りに選択的に配置されており、
前記水受け盤が前記担架の幅方向のいずれか一端寄りに配置されていても、前記担架から前記水受け盤に水を導くように排水部が設けられたことを特徴とする請求項１に記載の入浴用ストレッチャー装置。
【請求項３】
前記担架は、座部と背もたれ部とを有し、前記座部は側面視山型に形成されていて、前記山型の谷部の幅方向中央部に排水部が設けられ、
前記水受け盤は、排水部の下部に延在することを特徴とする請求項１又は２に記載の入浴用ストレッチャー装置。
【発明の詳細な説明】
【技術分野】
【０００１】
本発明は、病人や寝たきりの老人、身体障害者等の要介助者を入浴装置と居室との間を移動させるとともに、要介助者を円滑に入浴させ得るのに好適な、水受け盤を有する入浴用ストレッチャー装置に関する。
【背景技術】
【０００２】
上記のような要介助者を入浴させるための入浴装置として、浴槽が昇降式となっており、最初に浴槽を下降状態としておいてその上方の支持台に担架を配置し、次に浴槽を上昇させて要介助者を入浴させる形式のものが提供されている。ここで、担架を浴槽の上方の支持台に配置させるものとして、専用の入浴用ストレッチャー装置が用いられている（例えば特許文献１参照）。一般的なストレッチャーは、要介助者を病院棟内等で移送させるための単なる移送担架であるが、入浴用ストレッチャー装置は、要介助者を仰向け状態のまま浴槽の上方に配置できるように工夫が凝らされている。
【０００３】
そのような入浴用ストレッチャー装置の一例としては、例えば特許文献２に示すように、浴槽に横付けされた状態から、要介助者を載せた担架を横方向に水平移動させて浴槽の上方の支持台に配置できる形式のものがある。これは、ストレッチャーに備えられた担架台上に、実際に要介護者が載せられる担架が横方向にスライド可能に支持されており、要介助者を担架ごと浴槽上の支持台に送り込むことができるようになっている。また、ストレッチャーの担架台上には、担架の下方に配置されるようにして水受け盤が設けられており、入浴後の要介助者を居室に移動させる際に廊下等が濡れることのないように、該水受け盤によって担架から垂れる水を受けるように構成されている。
【特許文献１】特開平１１−２０６８４１号公報
【特許文献２】特開平１１−１０４２０５号公報
【発明の開示】
【発明が解決しようとする課題】
【０００４】
ところで、入浴装置の浴槽においては、湯量を削減して給湯のための時間・費用を低減するために浴槽自体のコンパクト化が図られ、浴室のスペースが限られているために入浴用ストレッチャー装置をコンパクト化することも要求されている。このような場合、入浴用ストレッチャー装置の担架台上に設置される水受け盤も小さくせざるを得ないため、該水受け盤の上方に設置された担架の下方全域をカバーすることができず、入浴後の要介助者を載せた担架を居室に移送させる際に廊下等に水が垂れてしまうという問題があった。
【０００５】
本発明は、このような課題に鑑みてなされたものであり、入浴用ストレッチャー装置のコンパクト化を図った場合であっても、担架や要介助者から垂れる水を確実に受けることができ、床面が水によって濡れることを防止することができる入浴用ストレッチャー装置を提供することを目的とする。
【課題を解決するための手段】
【０００６】
前記課題を解決するため、この発明は以下の手段を提案している。
即ち、本発明に係る入浴用ストレッチャー装置は、昇降可能なフレームに装着された走行手段により走行可能とされたストレッチャーと、前記ストレッチャーの上端に配置され、上方から垂れる水を受ける水受け盤と、前記水受け盤上に略水平方向にスライド可能に支持された担架とを備えた入浴用ストレッチャー装置において、前記水受け盤は、前記担架よりも幅が狭く形成されているとともに、前記担架の下面に、前記担架から垂れる水を受けて前記水受け盤に導く樋部が設けられたことを特徴としている。
【０００７】
担架の下面に配置した樋部によって該担架から垂れる水を受けて、その水を水受け盤上に導く構成とすることで、水受け盤が担架よりも幅が狭く形成された場合であっても、担架から垂れる水を確実に水受け盤に収用することができる。
【０００８】
また、本発明に係る入浴用ストレッチャー装置においては、前記水受け盤は、前記担架の幅方向のいずれか一端寄りに選択的に配置されており、前記水受け盤が前記担架の幅方向のいずれか一端寄りに配置されていても、前記担架から前記水受け盤に水を導くように排水部が設けられたことを特徴としている。
【０００９】
この入浴用ストレッチャー装置においては、入浴装置の浴槽の両側方から、要介助者を載せた担架を該浴槽内にスライドすることができるように構成することも可能であり、入浴用ストレッチャー装置が浴槽の一側面に横付けされた際には、担架の下方に取り付けられた水受け盤は、担架の幅方向の浴槽から離間した一端寄りに配置される。また、入浴用ストレッチャー装置が浴槽の他側面に横付けされた場合も同様に、水受け盤は担架の幅方向の浴槽から離間した一端寄りに配置される。即ち、水受け盤は、入浴用ストレッチャー装置が浴槽に横付けされる方向に応じて、担架の幅方向のいずれか一端寄りに選択的に配置される。
【００１０】
本入浴用ストレッチャー装置では、上記のように水受け盤がいずれか一端寄りに配置されても、担架上の水は排水部によって該水受け盤に導かれる構成とされているため、入浴用ストレッチャー装置を浴槽のいずれの側面に配置した場合であっても、担架上の水を確実に水受け盤上に排出することが可能となる。
【００１１】
また、本発明に係る入浴用ストレッチャー装置において、前記担架は、座部と背もたれ部とを有し、前記座部は側面視山型に形成されていて、前記山型の谷部の幅方向中央部に排水部が設けられ、前記水受け盤は、排水部の下部に延在することを特徴としている。
【００１２】
担架上の水が谷部に向かって流れて、この谷部の中央部の排水部から下方へと垂れ落ち、谷部の下部の水受け盤が水を受けることによって、担架上の水を確実に水受け盤に収用することが可能となる。
【発明の効果】
【００１３】
本発明に係る入浴用ストレッチャー装置によれば、入浴用ストレッチャー装置のコンパクト化に伴って水受け盤の幅を小さくした場合であっても、担架下面に配置した樋部によって担架から垂れる水を受けて水受け盤に導くことができるため、担架から垂れる水を確実に水受け盤に収用することができ、入浴後の要介助者を載せた担架を居室に移動させる際に廊下等が濡れることを確実に防止することができる。
【発明を実施するための最良の形態】
【００１４】
以下、本発明の実施の形態である入浴用ストレッチャー装置について、図面を参照して詳細に説明する。図１は本実施形態の入浴用ストレッチャー装置の側面図、図２は本実施形態の入浴用ストレッチャー装置の正面図、図３は本実施形態の入浴用ストレッチャー装置の平面図、図４は背もたれマット及び座部マットを取り除いた入浴用ストレッチャー装置の平面図、図５は背もたれ部を取り除いた入浴用ストレッチャー装置の平面図、図６は担架の裏面を示す図、図７は図３におけるＡ−Ａ断面図、図８は図３におけるＢ−Ｂ断面図、図９はストレッチャー及び水受け盤の平面図、図１０は浴槽の他側面に横付けする際の入浴用ストレッチャー装置の正面断面図である。
【００１５】
入浴用ストレッチャー装置１は、要介助者を載せるための台である担架１０と、該担架１０を上方に載置し、要介助者を浴室から脱衣室、脱衣室から浴室あるいは脱衣室から病室（居室）、病室（居室）から脱衣室へと移送させるストレッチャー２０とから概略構成される。そして、該ストレッチャー２０の上端に、担架１０から垂れ落ちる水を受ける水受け盤３０が配設されている。
【００１６】
担架１０は、図１、図３に示すように、背もたれ部１１と座部１２とを備えており、座部１２に背もたれ部１１が回動可能となるように取り付けられ、座部１２の幅方向両端部には要介助者の落下を防止するための柵部１３が設けられている。また、座部１２は側面視にて山型に形成されており、座部１２上の水がこの山型の両谷部に導かれるようになっている。また、背もたれ部１１の上面の長手方向の一方の端部にはヘッドレスト１４が設けられており、このヘッドレスト１４の他方の側には背もたれマット１５が設けられている。そして、座部１２の上面には座部マット１６が設けられており、要介助者がヘッドレスト１４にその頭部を載せて、長手方向の他方の側に足部を向けるようにして背もたれ部１１の背もたれマット１５と座部１２の座部マット１６に体重を預け、この担架１０に載せられるようになっている。なお、この際、背もたれマット１５及び座部マット１６上に設けられた固定ベルト１５ａ、１６ａによって要介助者の体が固定されるようになっている。
【００１７】
また、担架１０において、図４に示すように、座部マット１６を外した状態における座部１２には、該座部１２の幅方向の中央部に担架１０上の水を排出するための排水孔１２ａが、図７に示すように担架１０の表面と裏面を連通させるようにして、担架１０の長手方向に一定の間隔を空けて２つ設けられている。なお、この排水孔１２ａの一方は座部１２の山形の谷部に位置している。また、図５に示すように、座部１２の長手方向の一方の端部には、座部１２と背もたれ部１１との間から垂れる水が導かれる第１排水部１２ｂと、第１排水部１２ｂから流れる水を座部１２の幅方向中央部から下方へ向かって垂れ流す第２排水部１２ｃが設けられている。
【００１８】
また、担架１０の第１排水部１２ｂの幅方向両端には、座部１２に背もたれ部１１を取り付けるための支柱取付溝１２ｄが座部１２の上面と下面とを連通させるように形成されており、該支柱取付溝１２ｄに、背もたれ部１１の長手方向の他方の端部に設けられた支柱１１ａが回動可能に取り付けられることによって、座部１２に背もたれ部１１が支持される構成とされている。さらにこれに加えて、背もたれ部１１は座部１２から斜め上方に向かって延びるように取り付けられた補助支柱１１ｂによっても支持されている。
【００１９】
また、図６、図７、図８に示すように、担架１０の裏面には、幅方向両端の支柱取付溝１２ｄの連通箇所を下方からカバーするようにして樋部１７が設けられている。該樋部１７は担架１０の幅方向に延びるように設けられ、支柱取付溝１２ｄから流れる水を受けるためのものであり、樋部１７に受けられた水は、図６に示すように、樋部１７の下面の正面視右方寄りに設けられた排出孔１７ａから下方へと排出される構成とされている。なお、樋部１７は該排出孔１７ａに向かって下り勾配で傾斜するように形成されている。
【００２０】
さらに、この担架１０の座部１２の裏面には、図１、図６に示すように、それぞれ複数のローラー１８ａが配設された２つのローラー部１８が設けられている。このローラー部１８は、担架１０の長手方向と平面視直交する方向、即ち担架１０の幅方向にローラー１８ａが同一線上に並べられて形成され、２つのローラー部１８の列が互いに平行に離間するように設けられている。また、ローラー部１８はローラー支持体１８ｂにより軸支されその軸線を中心に回転可能とされるように配設されている。
【００２１】
また、２つのローラー部１８の外側には、複数のサイドローラー１８ｃがローラー支持体１８ｂに垂設されている。サイドローラー１８ｃは、その軸線を鉛直方向に向け軸線回りに回転可能とされている。また２つのローラー部１８の内側にあるローラー支持体１８ｂのそれぞれの内面には、Ｌアングル１８ｄが設けられている。このＬアングル１８ｄは、後述する水受け盤３０のＬアングル３６と嵌め合わされている。さらに、図６に示すように２つのローラー部１８の内側の略中央部であって正面視右方寄りの箇所には、後述するロック部材３７のツメと係合するためのピンを設けるロック受部１９が備えられている。
【００２２】
ストレッチャー２０は、その上端に担架１０を載置するともに担架１０から垂れ落ちる水を受ける水受け盤３０が配設され、この水受け盤３０を水平状態に保ちつつ上下方向に昇降させるための昇降装置２５と、このストレッチャー２０を支持し自在に移動させるための４つの車輪２４とを備えている。
【００２３】
昇降装置２５は、フレーム２２とシリンダ２３とによって構成されており、フレーム２２は、水受け盤３０を水平状態に保ちつつ上下方向に昇降可能に支持し、シリンダ２３は、フレーム２２を可動させる動力源としての役割を有している。また、このストレッチャー２０は、担架１０を載置した状態で、昇降装置２５及び水受け盤３０が担架１０の幅方向の一端寄りとなるように構成されており、入浴用ストレッチャー装置１全体としては、図２に示すように正面視コの字状に形成されている。従って、昇降装置２５及び水受け盤３０はコの字の柱部を形成し、図２の正面視右方へ極力寄せられるようにして配置されている。
【００２４】
水受け盤３０は、図１及び図９に示すようにストレッチャー２０の上端に配置されながら、その上部に担架１０が載置されており、担架１０から垂れ落ちる水を受けて保持することができるようその上面３１の外周には縁部３２が形成されている。また、図９に示すように該水受け盤３０の上面の長手方向の一方の端部側には受けた水を外部に排出する排出部３３が開口されており、該排出部３３に接続された排水ホース３３ａを介して水が排出される。また、水受け盤３０は、上述のように図２の正面視右方の一端寄りに配置されているが、この状態において担架１０の幅方向の中央部を下方からカバーすることができる程度の幅を有している。
【００２５】
また、図９に示すように、水受け盤３０の上面３１には、水受け盤３０の幅方向に平行に離間して延在する２本のガイドレール３５が固定されている。これらのガイドレール３５の配置される間隔は、上述の担架１０の裏面に配置されたローラー部１８の配置される間隔と同一とされている。両ガイドレール３５はその本体が角棒状の形状を有しており、図２に示す正面視コの字の開口側のその端部先端がテーパ形状に形成されている。
【００２６】
ガイドレール３５は、その先端のテーパ状の上面が正面視コの字の開口側の端部からその反対側に向けて徐々に上方へと傾斜するように形成されている。また、これら向かい合うガイドレール３５の先端外側に形成されるテーパ状の外面は、それぞれ正面視コの字の開口側の端部からその反対側に向かうにつれて徐々に外方へと傾斜するように形成されている。両ガイドレール３５の内側には、これらガイドレール３５に沿うようにしてＬアングル３６がそれぞれのガイドレール３５にその断面Ｌ字状の一の外面を接合させて、他の外面を上方へ向けた状態で対向配置されている。また、水受け盤３０の上面には、両ガイドレール３５の配置される略中央部にフック付きのツメを有するロック部材３７がそのツメを正面視コの字の開口側へ向けて配設されている。
【００２７】
以上のような構成の入浴用ストレッチャー装置１において、ストレッチャー２０の上端に配置された水受け盤３０の上面３１上に担架１０を載置する際には、担架１０の２つのローラー部１８のローラー１８ａが、水受け盤３０上の２つのガイドレール３５の上面に載置される。そしてこの担架１０は、その幅方向に往復移動可能とされている。このようにして担架１０がストレッチャー２０上に載置された状態において、サイドローラー１８ｃは、両ガイドレール３５の外側の面にそれぞれ摺接されるようにして配置され、両ローラー部１８のローラー１８ａが両ガイドレール３５から担架１０の長手方向に脱落するのを防止するようになっている。これにより担架１０はストレッチャー２０に対し担架１０の長手方向に不可動とされている。
【００２８】
また、担架１０のＬアングル１８ｄは、水受け盤３０上のガイドレール３５に配設されるＬアングル３６と僅かに間隔を空けて嵌め合うことができるように配設されており、この担架１０がストレッチャー２０から上方へと跳ね上がって脱落するのを防止している。そして、ロック部材３７が担架１０のロック受部１９とロックされ固定されて、担架１０の上面に要介助者が載せられる。
【００２９】
このようにストレッチャー２０上の担架１０に要介助者を載せた状態で、図２に示す正面視コの字の開口側を、図示しない入浴装置の浴槽の一側面に臨むようにして該浴槽に横付けする。そして、ストレッチャー２０のロック部材３７と担架１０のロック受部１９とのロックを、図示しないロック解除レバーにより解除し、担架１０を浴槽へとスライドさせ移送する。また、要介助者が入浴を終えた後は、これとは逆に、担架１０をストレッチャー２０の水受け盤３０上にスライド移動させ、ロック部材３７とロック受部１９をロックして担架１０をストレッチャー２０上に固定し、要介助者を居室等に移動させる。
【００３０】
この際、担架１０上の水は、背もたれ部１１の傾斜及び座部１２の山形の傾斜により、座部１２に設けられた２つの排水孔１２ａ、第１排水部１２ｂ、支柱取付溝１２ｄへと容易に導かれる。即ち、排水孔１２ａに導かれた水は担架１０の幅方向中央部から垂れ落ち、第１排水部１２ｂに導かれた水は第２排水部１２ｃへと流れて幅方向の中央部から垂れる落ちるため、図７に示すように、これらの排水部からはそれぞれ担架１０の幅方向中央真下に向かって垂れ落ちることになる。この担架１０の下方に設けられた水受け盤３０は、図２において右方に寄って配置されているものの、担架１０の幅方向中央を下方からカバー可能な程度の幅を有しているため、排水孔１２ａ、第２排水部１２ｃから垂れる水は直接的に水受け盤３０上に導かれる。
【００３１】
一方、図５に示すように第１排水部１２ｂの幅方向両側に設けられた支柱取付溝１２ｄから垂れ落ちる水は、担架１０の裏面に設けられた樋部１７によって受けられ、図８に示すように樋部１７に設けられた排出孔１７ａによって水受け盤３０に導かれる。従って、水受け盤３０が担架１０の下面全域をカバーできないコンパクトなものであっても、担架上の水を確実に水受け盤３０に導くことができるため、入浴後の要介助者を居室に移動させる際に廊下等が濡れることを確実に防止することができる。
【００３２】
また、上述のように排水孔１２ａ及び第２排水部１２ｃから排出される水は、担架１０の幅方向中央部真下へ向かって垂れ落ちるように構成されており、さらに、水受け盤３０は幅方向一端寄りに配置されても担架１０の幅方向中央部を下方からカバーできる程度の幅を有している。従って、上述の図２に示すように正面視の左方が開口し、右方にコの字の柱部として昇降装置２５及び水受け盤３０が配置され、該コの字の開口が浴槽の一側面に横付けされる場合のみならず、図１０に示すように、正面視において右方が開口しており、左方に水受け盤３０が設けられて、入浴用ストレッチャー装置右方が浴槽の他側面に横付けされる場合であっても、排水孔１２ａ及び第２排水部１２ｃから排出される水を水受け盤３０上に導くことができる。
【００３３】
従って、浴槽の両側面のいずれに横付けする場合であっても、担架１０上の水を排水孔１２ａと第１排水部１２ｂ及び第２排水部１２ｃとによって確実に水受け盤３０上に排出することができる。なお、本実施形態においては、図６に示す樋部１７の排出孔１７ａと、ロック受部１９は、図２に示す正面視において右方寄りに設けられているため、浴槽の他側面に入浴用ストレッチャー装置１を横付けする際には、これに応じて左方寄りに付け替える必要がある。
【００３４】
以上、本発明の実施の形態について説明したが、本発明はこれに限定されることなく、その発明の技術的思想を逸脱しない範囲で適宜変更可能である。例えば、樋部１７の排出孔１７ａ及びロック受部１９を、担架１０の幅方向中央に位置するように構成することによって、これらを一方寄りに取り替える作業をすることなく、浴槽の両側面に横付け可能な入浴用ストレッチャー装置とすることも可能である。
【図面の簡単な説明】
【００３５】
【図１】本実施形態の入浴用ストレッチャー装置の側面図である。
【図２】本実施形態の入浴用ストレッチャー装置の正面図である。
【図３】本実施形態の入浴用ストレッチャー装置の平面図である。
【図４】背もたれマット及び座部マットを取り除いた入浴用ストレッチャー装置の平面図である。
【図５】背もたれ部を取り除いた入浴用ストレッチャー装置の平面図である。
【図６】担架の裏面を示す図である。
【図７】図３におけるＡ−Ａ断面図である。
【図８】図３におけるＢ−Ｂ断面図である。
【図９】ストレッチャー及び水受け盤の平面図である。
【図１０】浴槽の他側面に横付けする際の入浴用ストレッチャー装置の正面断面図である。
【符号の説明】
【００３６】
１      入浴用ストレッチャー装置
１０    担架
１１    背もたれ部
１２    座部
１２ａ  排水孔（排水部）
１２ｂ  第１排水部（排水部）
１２ｃ  第２排水部（排水部）
１７    樋部
２０    ストレッチャー
２２    フレーム
３０    水受け盤  
【図１】
2009018006.tif 000003
【図２】
2009018006.tif 000004
【図３】
2009018006.tif 000005
【図４】
2009018006.tif 000006
【図５】
2009018006.tif 000007
【図６】
2009018006.tif 000008
【図７】
2009018006.tif 000009
【図８】
2009018006.tif 000010
【図９】
2009018006.tif 000011
【図１０】
2009018006.tif 000012